(57)【要約】【課題】電池セルの温調を効率良く行い、電池セル内の温度分布を低減することができる電池パックを提供すること。【解決手段】電池パック１は、積層して配置された複数の電池セル２と、電池セル２を保持する複数の温調部材３と、積層方向Ｚに隣り合う電池セル２間に配置され、温調流体を流通させる複数の温調流路４とを備えている。温調部材３は、その少なくとも一部が温調流路４を流通する温調流体に接触するよう構成されている。電池セル２は、本体部２１と本体部２１から突出させた端子部２２とを有する。端子部２２は、その少なくとも一部が温調部材３に接触しており、かつ、その全体が温調流路４を流通する温調流体に接触しないよう構成されている。【選択図】図２
2013171698.tif 000002
【特許請求の範囲】
【請求項１】
積層して配置された複数の電池セル（２）と、
該電池セル（２）を保持する複数の温調部材（３）と、
積層方向（Ｚ）に隣り合う上記電池セル（２）間に配置され、温調流体を流通させる複数の温調流路（４）とを備え、
上記温調部材（３）は、その少なくとも一部が上記温調流路（４）を流通する上記温調流体に接触するよう構成され、
上記電池セル（２）は、本体部（２１）と該本体部（２１）から突出させた端子部（２２）とを有し、
該端子部（２２）は、その少なくとも一部が上記温調部材（３）に接触しており、かつ、その全体が上記温調流路（４）を流通する上記温調流体に接触しないよう構成されていることを特徴とする電池パック（１）。
【請求項２】
請求項１に記載の電池パック（１）において、上記積層方向（Ｚ）に隣り合う上記電池セル（２）の上記本体部（２１）間には、上記温調部材（３）が配置されていることを特徴とする電池パック（１）。
【請求項３】
請求項２に記載の電池パック（１）において、上記温調部材（３）の内部には、上記温調流路（４）が設けられていることを特徴とする電池パック（１）。
【請求項４】
請求項２に記載の電池パック（１）において、上記電池セル（２）の上記本体部（２１）と上記温調部材（３）との間に形成された隙間には、上記温調流路（４）が設けられていることを特徴とする電池パック（１）。
【請求項５】
請求項１に記載の電池パック（１）において、上記各電池セル（２）は、上記積層方向（Ｚ）に直交する直交方向（Ｘ）において対向配置された一対の上記温調部材（３）によって上記直交方向（Ｘ）の両側から保持されており、該一対の温調部材（３）の少なくとも一方が上記電池セル（２）の上記端子部（２２）に接触していることを特徴とする電池パック（１）。
【請求項６】
請求項５に記載の電池パック（１）において、上記積層方向（Ｚ）に隣り合う上記電池セル（２）の上記本体部（２１）間に形成された隙間には、上記温調流路（４）が設けられていることを特徴とする電池パック（１）。
【請求項７】
請求項１〜６のいずれか１項に記載の電池パック（１）において、上記温調流体は、空気であることを特徴とする電池パック（１）。
【発明の詳細な説明】
【技術分野】
【０００１】
本発明は、車両等に搭載される電池パックに関する。
【背景技術】
【０００２】
従来、電動機により車両の駆動力を得る電気自動車、ハイブリッド自動車等に搭載される電池パックが知られている。
例えば、特許文献１には、複数の電池セルを積層配置した電池パックが開示されている。この電池パックは、電池セル間に冷媒流路が形成されており、その冷媒流路を流通する空気等の冷媒によって電池セルを冷却することができるよう構成されている。
【先行技術文献】
【特許文献】
【０００３】
【特許文献１】特開２００４−３１３６４号公報
【発明の概要】
【発明が解決しようとする課題】
【０００４】
しかしながら、上記特許文献１の電池パックは、冷媒流路を流通する空気等の冷媒によって電池セルの側面のみを冷却する構造となっている。そのため、電池セルにおいて一般的に断面積が小さく、発熱密度が高くなる端子部及びその周辺を十分に冷却することができず、効果的な冷却を行えていなかった。特に、電池セル内の温度分布（温度ばらつき）が大きい場合には、電池セルの劣化、性能低下等の問題が発生するおそれがあった。
【０００５】
一方、上記の課題を解決するために、電池セルにおいて発熱密度が高くなる端子部に冷却用の空気を直接接触させるといった構造が考えられる。しかしながら、空気には水分や埃が含まれている場合もある。そのため、電池セルの端子部に冷却用の空気を直接接触させると、空気に含まれる水分や埃によって端子部に短絡が生じる等、電池セルに不具合が発生するおそれがあった。
【０００６】
本発明は、かかる背景に鑑みてなされたもので、電池セルの温調を効率良く行い、電池セル内の温度分布を低減することができる電池パックを提供しようとするものである。
【課題を解決するための手段】
【０００７】
本発明の一の態様は、積層して配置された複数の電池セルと、
該電池セルを保持する複数の温調部材と、
積層方向に隣り合う上記電池セル間に配置され、温調流体を流通させる複数の温調流路とを備え、
上記温調部材は、その少なくとも一部が上記温調流路を流通する上記温調流体に接触するよう構成され、
上記電池セルは、本体部と該本体部から突出させた端子部とを有し、
該端子部は、その少なくとも一部が上記温調部材に接触しており、かつ、その全体が上記温調流路を流通する上記温調流体に接触しないよう構成されていることを特徴とする電池パックにある（請求項１）。
【発明の効果】
【０００８】
上記電池パックは、積層して配置された複数の電池セルを備えている。また、電池セルを保持する温調部材は、その少なくとも一部が積層方向に隣り合う電池セル間に配置された温調流路を流通する温調流体に接触するよう構成されている。また、電池セルの端子部は、その少なくとも一部が温調部材に接触しており、かつ、その全体が温調流路を流通する温調流体に接触しないよう構成されている。
【０００９】
そのため、電池セルにおいて発熱密度が高くなる端子部に対しては、温調流路を流通する温調流体に接触するよう構成された温調部材を介して、間接的に温度調節（冷却・加熱）を行うことができる。例えば、温調流体として空気を用いた場合でも、電池セルの端子部に直接接触させることなく、その端子部の温度調節（冷却・加熱）を十分かつ確実に行うことができる。
【００１０】
また、電池セルの本体部に対しては、積層方向に隣り合う電池セル間に配置された温調流路を流通する温調流体によって、直接的又は間接的に温度調節（冷却・加熱）を行うことができる。
これにより、電池セル全体の温調を効率良く行うことができる。また、これによって、電池セル内の温度分布（温度ばらつき）を低減することができ、電池セルの劣化、性能低下等を防ぐことができる。
【００１１】
このように、電池セルの温調を効率良く行い、電池セル内の温度分布を低減することができる電池パックを提供することができる。
【図面の簡単な説明】
【００１２】
【図１】実施例１における、電池パックを示す斜視図。
【図２】図１のII−II線断面図。
【図３】実施例１における、電池セル及び温調部材を示す斜視図。
【図４】図１のIV−IV線断面図。
【図５】実施例２における、電池パックを示す断面図。
【図６】実施例２における、電池セル及び温調部材を示す斜視図。
【図７】実施例３における、電池パックを示す断面図。
【図８】実施例３における、電池セル及び温調部材を示す斜視図。
【図９】実施例４における、温調フィンを設けた温調部材を示す断面図。
【図１０】実施例４における、温調フィンを設けた温調部材を示す断面図。
【図１１】実施例５における、電池パックを示す断面図。
【図１２】実施例５における、電池セル及び温調部材を示す斜視図。
【発明を実施するための形態】
【００１３】
上記電池パックは、温調流路を流通する温調流体によって電池セルの温度調節を行うことができるよう構成されている。ここで、電池セルの温度調節とは、電池セルの冷却及び加熱のことをいう。
また、上記温調部材を構成する材料としては、例えば、窒化ケイ素、窒化アルミニウム、高熱伝導樹脂等を用いることができる。
【００１４】
また、上記積層方向に隣り合う上記電池セルの上記本体部間には、上記温調部材が配置されている構成とすることができる（請求項２）。
この場合には、積層方向に隣り合う電池セル間の電気絶縁性の確保が容易な構造となる。例えば、電気絶縁性を有する材料によって温調部材を構成すれば、積層方向に隣り合う電池セル間の電気絶縁性を十分に確保することができる。
【００１５】
また、上記温調部材の内部には、上記温調流路が設けられている構成とすることができる（請求項３）。
この場合には、例えば、電池セルの本体部を積層方向の両側にある温調部材によって挟持する構造とすることができる。そのため、電池セルの拘束荷重を十分に確保することができ、電池セルの内圧を安定させることができる。これにより、電池セルの充放電特性（電池セル内部の化学反応）を良好なものとすることができる。
【００１６】
また、上記電池セルの上記本体部と上記温調部材との間に形成された隙間には、上記温調流路が設けられている構成とすることができる（請求項４）。
この場合には、例えば、温調流路を流通する温調流体を電池セルの本体部に直接接触させる構造とすることができる。これにより、電池セルの温調をより一層効率良く行うことができる。
【００１７】
また、上記温調部材において、上記温調流体を流通する上記温調流体に接触する部分に温調用のフィン等を設けることができる。
この場合には、温調部材と温調流路を流通する温調流体との接触面積を拡大させたり、温調流路を流通する温調流体の乱流拡散等で熱伝達率を向上させたりすることができる。これにより、電池セルの温調をより一層効率良く行うことができる。
なお、温調用のフィンは、温調部材の表面を突出させたり、凹ませたりして形成することができる。また、温調用のフィンを別部材とし、温調部材に接合して設けることもできる。また、温調用のフィンとしては、種々様々な形状のものを用いることができる。
【００１８】
また、上記各電池セルは、上記積層方向に直交する直交方向において対向配置された一対の上記温調部材によって上記直交方向の両側から保持されており、該一対の温調部材の少なくとも一方が上記電池セルの上記端子部に接触している構成とすることができる（請求項５）。
この場合には、各電池セルを保持する一対の温調部材を上記直交方向において対向配置することにより、上記積層方向の小型化を容易に図ることができる。また、例えば、複数の電池セルをそれぞれ共通の一対の温調部材によって保持することで、より簡易な構造とすることができ、コストや部品点数の低減等を図ることができる。
【００１９】
また、上記積層方向に隣り合う上記電池セルの上記本体部間に形成された隙間には、上記温調流路が設けられている構成とすることができる（請求項６）。
この場合には、例えば、温調流路を流通する温調流体を電池セルの本体部に直接接触させる構造とすることができる。これにより、電池セルの温調をより一層効率良く行うことができる。
【００２０】
また、上記温調流体は、空気である構成とすることができる（請求項７）。
この場合には、温調流体である空気を電池セルの端子部に直接接触させることがないため、空気に含まれる水分や埃によって電池セルの端子部に短絡が生じる等の不具合の発生を防ぐことができる。
なお、上記温調流体としては、例えば、空気以外にも窒素等の不活性ガス等を用いることができる。
【実施例】
【００２１】
（実施例１）
上記電池パックにかかる実施例について、図を用いて説明する。
本例の電池パック１は、図１〜図４に示すごとく、積層して配置された複数の電池セル２と、電池セル２を保持する複数の温調部材３と、積層方向Ｚに隣り合う電池セル２間に配置され、温調流体を流通させる複数の温調流路４とを備えている。
【００２２】
同図に示すごとく、温調部材３は、その少なくとも一部が温調流路４を流通する温調流体に接触するよう構成されている。電池セル２は、本体部２１と本体部２１から突出させた端子部２２とを有する。端子部２２は、その少なくとも一部が温調部材３に接触しており、かつ、その全体が温調流路４を流通する温調流体に接触しないよう構成されている。
以下、これを詳説する。
【００２３】
図１〜図４に示すごとく、本例の電池パック１は、電動機により車両の駆動力を得る電気自動車、ハイブリッド自動車等に搭載されるものである。
図２に示すごとく、電池パック１は、複数の電池セル２と複数の温調部材３と複数の温調流路４とを備えている。また、電池パック１は、複数の電池セル２及び複数の温調部材３をケース５内に収容して構成されている。
【００２４】
図３に示すごとく、電池セル２は、長方形板状の本体部２１と、その本体部２１の側面から外側に突出してなる一対の端子部２２とを有する。
本体部２１の内部は、シート状の正極及び負極を両者の間にシート状のセパレータを挟んで積層方向Ｚに積層させた積層型構造となっており、正極及び負極がそれぞれ端子部２２に接続されている。また、一対の端子部２２は、本体部２１の長手方向Ｘ（以下、単に長手方向Ｘという）の一方側に突出している。
【００２５】
図２に示すごとく、複数の電池セル２は、本体部２１の厚み方向（以下、積層方向Ｚという）に所定の間隔を設けて積層配置されている。なお、図２では、４つの電池セル２が積層されているが、さらに多数の電池セル２が積層されている構成としてもよい。
また、積層方向Ｚに隣り合う電池セル２の本体部２１間には、温調部材３が配置されている。
【００２６】
図３に示すごとく、温調部材３は、電池セル２の本体部２１間に配置され、電池セル２の本体部２１と共に積層される長方形板状の積層部３１を有する。
積層部３１の四つ角には、積層方向Ｚに隣り合う温調部材３を連結する柱状の連結部３２がそれぞれ設けられている。連結部３２の積層方向Ｚの高さは、積層部３１の積層方向Ｚの厚みよりも大きい。
【００２７】
また、積層部３１の長手方向Ｘの一方側には、電池セル２の一対の端子部２２を保持する端子保持部３３が設けられている。端子保持部３３は、長手方向Ｘの一方側にある一対の連結部３２の間をつなぐように設けられている。
また、温調部材３を構成する積層部３１と４つの連結部３２と端子保持部３３とは、一体的に形成されている。また、温調部材３は、電気絶縁性を有する。また、温調部材３を構成する材料としては、例えば、窒化ケイ素、窒化アルミニウム、高熱伝導樹脂等を用いることができる。
【００２８】
また、温調部材３の内部には、電池セル２の温度調節（冷却・加熱）をするための温調流体を流通させる温調流路４が設けられている。具体的には、温調流路４は、温調部材３の積層部３１の内部において、電池セル２の本体部２１の幅方向Ｙ（以下、単に幅方向Ｙという）に形成されている。また、温調流路４は、温調部材３の積層部３１を幅方向Ｙに貫通するように形成されている。
【００２９】
図４に示すごとく、各温調部材３に設けられた複数の温調流路４は、幅方向Ｙの両側において互いに連結されている。また、温調流路４は、幅方向Ｙの一方側において、温調流体を導入する流体導入口５１に連通しており、幅方向Ｙの他方側において、温調流体を排出する流体排出口５２に連通している。流体導入口５１及び流体排出口５２は、ケース５に設けられている。また、温調流路４に流通させる温調流体は、空気である。
【００３０】
また、図２に示すごとく、複数の温調部材３は、積層方向Ｚに積層配置されている。具体的には、複数の温調部材３は、互いの連結部３２を積層方向Ｚに積み重ねて配置されている。
また、積層方向Ｚに隣り合う温調部材３の積層部３１間には、電池セル２の本体部２１が配置されている。電池セル２の本体部２１は、積層方向Ｚの両側にある温調部材３の積層部３１によって挟持されている。このように、電池セル２の本体部２１と温調部材３の積層部３１とは、積層方向Ｚに交互に配置されている。
【００３１】
また、積層方向Ｚに隣り合う温調部材３の端子保持部３３間には、電池セル２の一対の端子部２２が配置されている。電池セル２の一対の端子部２２は、積層方向Ｚの両側にある温調部材３の端子保持部３３によって挟持されている。これにより、電池セル２の一対の端子部２２は、その一部が温調部材３に接触している。
【００３２】
また、電池セル２の一対の端子部２２は、その全体が温調部材３の内部に設けられた温調流路４を流通する温調流体に接触しない。
また、電池セル２の一対の端子部２２は、図示を省略したが、ケース５内の電池セル２間で直列接続、並列接続又はこれらの組み合わせで構成され、ケース５の外部にある電源の正極側及び負極側に接続されている。
【００３３】
次に、電池パック１における電池セル２の温度調節（冷却・加熱）について説明する。
温調流体である温調用の空気は、走行風や送風ファン等を用いて流体導入口５１から温調流路４内に導入され、流通する。そして、温調用の空気は、電池セル２の本体部２１との間において、温調部材３を介して間接的に熱交換を行う。また、温調用の空気は、電池セル２の端子部２２との間において、温調部材３を介して間接的に熱交換を行う。熱交換を行った温調用の空気は、流体排出口５２から外部に排出される。
【００３４】
次に、本例の電池パック１における作用効果について説明する。
本例の電池パック１は、積層して配置された複数の電池セル２を備えている。また、電池セル２を保持する温調部材３は、その少なくとも一部が積層方向Ｚに隣り合う電池セル２間に配置された温調流路４を流通する温調流体に接触するよう構成されている。また、電池セル２の端子部２２は、その少なくとも一部が温調部材３に接触しており、かつ、その全体が温調流路４を流通する温調流体に接触しないよう構成されている。
【００３５】
そのため、電池セル２において発熱密度が高くなる端子部２２に対しては、温調流路４を流通する温調流体に対して伝熱可能に構成された温調部材３を介して、間接的に温度調節（冷却・加熱）を行うことができる。例えば、本例のように、温調流体として空気を用いた場合でも、電池セル２の端子部２２に直接接触させることなく、その端子部２２の温度調節（冷却・加熱）を十分かつ確実に行うことができる。
【００３６】
また、電池セル２の本体部２１に対しては、積層方向Ｚに隣り合う電池セル２間に配置された温調流路４を流通する温調流体によって、直接的又は間接的に温度調節（冷却・加熱）を行うことができる。
これにより、電池セル２全体の温調を効率良く行うことができる。また、これによって、電池セル２内の温度分布（温度ばらつき）を低減することができ、電池セル２の劣化、性能低下等を防ぐことができる。
【００３７】
また、本例において、積層方向Ｚに隣り合う電池セル２の本体部２１間には、温調部材３が配置されている。また、温調部材３は、電気絶縁性を有する材料からなる。そのため、積層方向Ｚに隣り合う電池セル２間の電気絶縁性を温調部材３によって十分に確保することができる。
【００３８】
また、温調部材３の内部には、温調流路４が設けられている。そのため、本例のように、電池セル２の本体部２１を積層方向Ｚの両側にある温調部材３によって挟持する構造とすることができる。そして、電池セル２の拘束荷重を十分に確保することができ、電池セル２の内圧を安定させることができる。これにより、電池セル２の充放電特性（電池セル２内部の化学反応）を良好なものとすることができる。
【００３９】
また、温調流路４を流通させる温調流体は、空気である。また、本例の場合、温調流体である空気を電池セル２の端子部２２に直接接触させることがない。そのため、空気に含まれる水分や埃によって電池セル２の端子部２２に短絡が生じる等の不具合の発生を防ぐことができる。
【００４０】
このように、本例によれば、電池セル２の温調を効率良く行い、電池セル２内の温度分布を低減することができる電池パック１を提供することができる。
【００４１】
（実施例２）
本例は、図５、図６に示すごとく、電池セル２の端子部２２及び温調部材３の構成を変更した例である。なお、図５は、図１のII−II線断面図に相当する断面図である。
図６に示すごとく、電池セル２の一対の端子部２２は、長手方向Ｘの両側にそれぞれ突出している。また、温調部材３における積層部３１の長手方向Ｘの両側には、電池セル２の各端子部２２を保持する端子保持部３３が設けられている。また、温調部材３を構成する積層部３１と４つの連結部３２と２つの端子保持部３３とは、一体的に形成されている。
【００４２】
図５に示すごとく、積層方向Ｚに隣り合う温調部材３の端子保持部３３間には、電池セル２の各端子部２２が配置されている。電池セル２の各端子部２２は、積層方向Ｚの両側にある温調部材３の端子保持部３３によって挟持されている。これにより、電池セル２の一対の端子部２２は、その一部が温調部材３に接触している。
その他の基本的な構成及び作用効果は、実施例１と同様である。
【００４３】
（実施例３）
本例は、図７、図８に示すごとく、温調部材３及び温調流路４の構成を変更した例である。なお、図７は、図１のII−II線断面図に相当する断面図である。
図８に示すごとく、温調部材３における積層部３１の長手方向Ｘの両側には、積層方向Ｚに隣り合う温調部材３を連結する一対の連結部３２が設けられている。一方の連結部３２における積層方向Ｚの両側の表面３２１、３２２には、電池セル２の一対の端子部２２を保持するための端子保持凹部３２３が形成されている。端子保持凹部３２３は、連結部３２の表面３２１、３２２をそれぞれ凹ませて形成されている。また、温調部材３を構成する積層部３１と一対の連結部３２とは、一体的に形成されている。
【００４４】
図７に示すごとく、複数の温調部材３は、互いの連結部３２を積層方向Ｚに積み重ねて配置されている。また、積層方向Ｚに隣り合う温調部材３の積層部３１間には、電池セル２の本体部２１が配置されている。ここで、電池セル２の本体部２１と温調部材３との間に形成された隙間には、温調流路４が設けられている。具体的には、電池セル２の本体部２１と温調部材３の積層部３１との間には、積層方向Ｚに隙間が形成されている。そして、この隙間が温調流路４となっている。
【００４５】
同図に示すごとく、積層方向Ｚに隣り合う温調部材３の連結部３２の端子保持凹部３２３間には、電池セル２の一対の端子部２２が配置されている。電池セル２の一対の端子部２２は、積層方向Ｚの両側にある温調部材３の連結部３２によって挟持されている。これにより、電池セル２の一対の端子部２２は、その一部が温調部材３に接触している。また、電池セル２の本体部２１は、長手方向Ｘの両側にある保持部材３の連結部３２によって挟持されている。
その他の基本的な構成は、実施例１と同様である。
【００４６】
次に、電池パック１における電池セル２の温度調節（冷却・加熱）について説明する。
温調流体である温調用の空気は、走行風や送風ファン等を用いて流体導入口５１（図４参照）から温調流路４内に導入され、流通する。そして、温調用の空気は、電池セル２の本体部２１と温調部材３の積層部３１との間に形成された温調流路４を通過する際に、電池セル２の本体部２１に直接接触する。すなわち、電池セル２の本体部２１との間において、直接的に熱交換を行う。また、温調用の空気は、電池セル２の端子部２２との間において、温調部材３を介して間接的に熱交換を行う。熱交換を行った温調用の空気は、流体排出口５２（図４参照）から外部に排出される。
【００４７】
本例の場合には、温調流路４を流通する温調流体を電池セル２の本体部２１に直接接触させる構造となっている。これにより、電池セル２の温調をより一層効率良く行うことができる。
その他の基本的な作用効果は、実施例１と同様である。
【００４８】
（実施例４）
本例は、図９、図１０に示すごとく、温調部材３の構成を変更した例である。
図９に示すごとく、温調部材３において、温調流路４を形成する積層部３１の内壁面３１０には、積層方向Ｚに突出してなる複数の温調フィン３９が設けられている。温調フィン３９は、円錐状を呈している。
その他の基本的な構成は、実施例１、２と同様である。
【００４９】
図１０に示すごとく、温調部材３において、温調流路４を形成する積層部３１の積層方向Ｚの表面３１１、３１２には、積層方向Ｚに突出してなる複数の温調フィン３９が設けられている。温調フィン３９は、円錐状を呈している。
その他の基本的な構成は、実施例３と同様である。
【００５０】
本例の場合には、温調フィン３９を設けることによって、温調部材３と温調流路４を流通する温調流体との接触面積を拡大することができる。また、温調フィン３９による温調流体の乱流拡散等で熱伝達率を向上させることができる。これにより、電池セル２の温調をより一層効率良く行うことができる。
その他の基本的な作用効果は、実施例１〜３と同様である。
【００５１】
なお、本例の温調フィン３９は、図９、図１０に示すごとく、温調部材３に対して一体的に形成されているが、例えば、温調フィン３９を別部材とし、これを温調部材３に接合するといった構成とすることもできる。また、温調フィン３９としては、本例のような円錐状に限らず、種々様々な形状のものを用いることができる。
【００５２】
（実施例５）
本例は、図１１、図１２に示すごとく、温調部材３及び温調流路４の構成を変更した例である。なお、図１１は、図１のII−II線断面図に相当する断面図である。
図１１、図１２に示すごとく、各電池セル２は、積層方向Ｚに直交する直交方向（長手方向Ｘ）において対向配置された一対の温調部材３によって直交方向（長手方向Ｘ）の両側から保持されている。本例では、複数の電池セル２を長手方向Ｘの両側に配置された一対の板状の温調部材３によって保持している。
なお、本例の構成とは異なり、各電池セル２に対してそれぞれ一対の温調部材３を設ける構成とすることもできる。
【００５３】
図１２に示すごとく、一方の温調部材３は、各電池セル２における本体部２１の長手方向Ｘの一方の端部２１１を保持する本体保持凹部３４が複数設けられている。本体保持凹部３４は、温調部材３の内側の表面を凹ませて形成されている。また、温調部材３には、各電池セル２の一対の端子部２２を保持する端子保持貫通部３５が複数設けられている。端子保持貫通部３５は、温調部材３の外側の表面から本体保持凹部３４までを長手方向Ｘに貫通するように形成されている。
他方の温調部材３には、各電池セル２における本体部２１の長手方向Ｘの他方の端部２１２を保持する本体保持貫通部３６が複数設けられている。本体保持貫通部３６は、温調部材３を長手方向Ｘに貫通するように形成されている。
【００５４】
同図に示すごとく、積層方向Ｚに隣り合う電池セル２の本体部２１間に形成された隙間には、温調流路４が設けられている。具体的には、電池セル２の本体部２１間には、積層方向Ｚに隙間が形成されている。そして、この隙間が温調流路４となっている。
また、電池セル２の一対の端子部２２は、一方の温調部材３の端子保持貫通部３５に挿通保持されている。これにより、電池セル２の一対の端子部２２は、その一部が温調部材３に接触している。
その他の基本的な構成は、実施例１と同様である。
【００５５】
次に、電池パック１における電池セル２の温度調節（冷却・加熱）について説明する。
温調流体である温調用の空気は、走行風や送風ファン等を用いて流体導入口５１（図４参照）から温調流路４内に導入され、流通する。そして、温調用の空気は、電池セル２の本体部２１間に形成された温調流路４を通過する際に、電池セル２の本体部２１に直接接触する。すなわち、電池セル２の本体部２１との間において、直接的に熱交換を行う。また、温調用の空気は、電池セル２の端子部２２との間において、温調部材３を介して間接的に熱交換を行う。熱交換を行った温調用の空気は、流体排出口５２（図４参照）から外部に排出される。
【００５６】
本例の場合には、各電池セル２を保持する一対の温調部材３を直交方向（長手方向Ｘ）において対向配置することにより、積層方向Ｚの小型化を容易に図ることができる。また、本例のように、複数の電池セル２をそれぞれ共通の一対の温調部材３によって保持することで、より簡易な構造とすることができ、コストや部品点数の低減等を図ることができる。
また、温調流路４を流通する温調流体を電池セル２の本体部２１に直接接触させる構造となっているため、電池セル２の温調をより一層効率良く行うことができる。
その他の基本的な作用効果は、実施例１と同様である。
【符号の説明】
【００５７】
１  電池パック
２  電池セル
２１  本体部
２２  端子部
３  温調部材
４  温調流路
Ｚ  積層方向
【図１】
2013171698.tif 000003
【図２】
2013171698.tif 000004
【図３】
2013171698.tif 000005
【図４】
2013171698.tif 000006
【図５】
2013171698.tif 000007
【図６】
2013171698.tif 000008
【図７】
2013171698.tif 000009
【図８】
2013171698.tif 000010
【図９】
2013171698.tif 000011
【図１０】
2013171698.tif 000012
【図１１】
2013171698.tif 000013
【図１２】
2013171698.tif 000014